(57)【特許請求の範囲】
【請求項１】
裁縫や手芸などの型紙をもとに倣い図形を描くための補助具において、該補助具は、半径が８０．０ｍｍから５００．０ｍｍの範囲にある一つの円を基礎円とし、基礎円、および、基礎円と同心で、基礎円より半径が大きいかあるいは小さい円群と、角度が０．１度から５．０度の範囲にある一定の中心角をもつ中心線群との交点のうち、基礎円上の始点とする交点から半径が最も大きい円または小さい円を経由して基礎円上の終点とする交点まで、選択した交点を結ぶ線分および円弧を繋いだ基本図形が接続連鎖された形状であることを特徴とする型紙をもとに倣い図形を描くための補助具。
【発明の詳細な説明】
【技術分野】
【０００１】
本発明は、裁縫や手芸などの型紙をもとに倣い図形を描くための補助具に関する。
【背景技術】
【０００２】
縫製線をもとに裁断線を描くための定規（特許文献１）が発明され、また、縫代規定補助具セット（特許文献２）が出願されている。さらに、透明性のあるフィルム状シートに縫製線と裁断線を切り込んでいる縫製用パターンシート（特許文献３）が発明され、縫製線の直線部分を拡大または縮小できるように複数の直線を描いた型紙（特許文献４）が考案されている。
【特許文献１】特許第３８９５７６５
【特許文献２】特開２００５−３１４８２６
【特許文献３】特許第３８１２８４５
【特許文献４】実案第３０２７５１２
【発明の開示】
【発明が解決しようとする課題】
【０００３】
裁縫や手芸などの型紙にある縫製線をもとに、従来技術より手間をかけず簡単に、裁断線を描くことや、縫製線をサイズの変更幅に合わせて拡大あるいは縮小することができる補助具の開発を課題とした。  
【課題を解決するための手段】
【０００４】
上記課題を解決するために、本発明は、半径が８０．０ｍｍから５００．０ｍｍの範囲にある一つの円を基礎円とし、基礎円、および、基礎円と同心で、基礎円より半径が大きいかあるいは小さい円群と、角度が０．１度から５．０度の範囲にある一定の中心角をもつ中心線群との交点のうち、基礎円上の始点とする交点から半径が最も大きい円または小さい円を経由して基礎円上の終点とする交点まで、選択した交点を結ぶ線分および円弧を繋いだ基本図形が接続連鎖された形状であることを特徴とする。
【発明の効果】
【０００５】
本発明を使用すると、型紙にある縫製線をもとに、手間をかけず簡単に布に裁断線を描くことできるし、希望するサイズに合わせて縫製線を拡大あるいは縮小して型紙を修正することもできる。そして、布に裾などの折り代を付けることや、アップリケやキルティングなどの針目を印付けることもできる。また、紙などの工作をおこなうときにも、同様に本発明を使用することができる。
【０００６】
本発明を使用することにより、縫製線と裁断線が伴っている型紙を作ることや、縫製線をサイズに合わせて選ぶことができるように複数の縫製線が描かれている型紙を作ることも容易になり、同様に縫製用パターンシートを作ることもできる。
【０００７】
また、本発明は、様々な形状に作製することができるので、用途に合わせて形状を選ぶこともできる。
【発明を実施するための最良の形態】
【０００８】
本発明について、特に大きさを定めるものではないが、説明の便宜上ここでは中心角が最大約６５．０度の範囲で作図した図形をもとに、合成樹脂シートを切り抜いて作製した実施例について、以下詳細に説明する。
【実施例１】
【０００９】
実施例１は、型紙の縫製線をもとに、一般的に多く使われる５．０ｍｍあるいは１０．０ｍｍの裁断線を描くための補助具であり、図１に図示した。また、図２は実施例１の原形の描き方を説明するための図である。実施例１は、図２に示すように、半径１２５．０ｍｍの基礎円１と、基礎円１と同心の円を階円とし、半径１３０．０ｍｍの階円２ａから半径１５０．０ｍｍの階円２ｅまで、その半径が５．０ｍｍ間隔で大きくなっている階円群と、半径１２０．０ｍｍの階円３ａから半径１００．０ｍｍの階円３ｅまで、その半径が５．０ｍｍ間隔で小さくなっている階円群と、中心角１．２５度をもつ中心線群との各交点を求めて、その交点のうち選択した交点を結ぶ線分を繋いで描いた基本図形を接続連鎖させた原図をもとにした。
【００１０】
図２の説明をわかりやすくするために、以下、選択する交点を中心線と円の座標で表すことにする。基礎円１上のある交点を最初の基本図形を描くための始点として選び、その座標を（０，１）と表し、始点から右方向に１つ目の交点を通る中心線と階円２ａとの交点の座標を（１、２ａ）と表し、始点から左方向に２つ目の交点を通る中心線と階円３ｃとの交点の座標を（−２，３ｃ）と表す。この表記方法に従って実施例１の原図を描く手順を説明する。まず、原図の上側を描く。上側の最初の基本図形を描くために選択する交点を順次列挙すると、交点４（０，１）、交点（１，２ａ）、交点（−１，２ｃ）、交点（１，２ｃ）、交点（−１，２ｅ）、交点（１，２ｅ）、交点（２，２ｄ）、交点（３，２ｅ）、交点（５，２ｅ）、交点（３，２ｃ）、交点（５，２ｃ）、交点（３，２ａ）、交点（４，１）、交点（５，２ａ）、交点（７，２ａ）、交点５（８，１）となる。そして、交点５（８，１）を次の基本図形の始点として、同様に基本図形を描くことを繰り返し、最終点である交点６（４，１）まで描くと原図の上側部分が描ける。次に、上側とは逆向きに下側を描く。図形上のバランスをとるために、上側の座標表示では交点４（０，１）の左二つ目の交点７（−２，１）を下側に描く基本図形の始点（０，１）と定めて、下側の最初の基本図形を描くために選択する交点を順次列挙すると、交点７（０，１）、交点（１，３ａ）、交点（−１，３ｃ）、交点（１，３ｃ）、交点（−１，３ｅ）、交点（１，３ｅ）、交点（２，３ｄ）、交点（３，３ｅ）、交点（５，３ｅ）、交点（３，３ｃ）、交点（５，３ｃ）、交点（３，３ａ）、交点（４，１）、交点（５，２ａ）、交点（７，３ａ）、交点８（８，１）となる。そして、交点８（８，１）を次の基本図形の始点として同様に下側の基本図形を描くことを繰り返し、最終点である交点９（４，１）まで描くと原図の下側部分が描ける。その上で、上側および下側の最初の始点である交点４と交点７を結び、さらに、それぞれの最終点である交点６と交点９を結ぶと実施例１の原形である閉図形が描ける。
【００１１】
実施例１はこのようにして描いた原形を、厚さ０．３ｍｍのポリプロピレンシートに転写し、ナイフなどで切り抜いて作製した。この実施例１を使用すると、型紙や布地に５．０ｍｍあるいは１０．０ｍｍ間隔の幅にある縫代を描くことができる。また、縫製するサイズを変更したいときは、サイズを５．０ｍｍあるいは１０．０ｍｍ間隔の幅で大きくあるいは小さくする縫製線を描くこともできる。
【実施例２】
【００１２】
実施例２は、手芸などで実施例１より小さな物を縫製するときに使用すると、さらに印を細かく付けて倣い図形を描くことができる。実施例２の形状を示す図は、その原形の描き方を説明するための図３に示されているので省略した。実施例２は、図３に示すように、半径１１０．０ｍｍの基礎円１と、基礎円１と同心の円を階円とし、半径１１５．０ｍｍの階円２ａから半径１３５．０ｍｍの階円２ｅまで半径が５．０ｍｍ間隔で大きくなっている階円群と、半径１０５．０ｍｍの階円３ａから半径１００．０ｍｍの階円３ｂまで半径が５．０ｍｍ間隔で小さくなっている階円群と、中心角０．６２５度をもつ中心線群との各交点を求めて、その交点のうち選択した交点を結ぶ線分を繋いで描いた基本図形を接続連鎖させた原図をもとにした。
【００１３】
図３の説明をわかりやすくするために、以下、選択する交点を中心線と円の座標で表すことにする。基礎円１上のある交点を最初の基本図形を描くための始点として選び、その座標を（０，１）と表し、始点から右方向に２つ目の交点を通る中心線と階円２ａとの交点の座標を（２、２ａ）と表し、始点から右方向に４つ目の交点を通る中心線と階円３ｂとの交点の座標を（４，３ｂ）と表す。この表記方法に従って実施例２の原図を描く手順を説明する。まず、原図の上側を描く。上側の最初の基本図形を描くために選択する交点を順次列挙すると、交点４（０、１）、交点（２，２ａ）、交点（２，２ｂ）、交点（４，２ｂ）、交点（４，１）、交点（６，２ａ）、交点（６，２ｂ）、交点（２，２ｃ）、交点（６，２ｃ）、交点（２，２ｄ）、交点（６，２ｄ）、交点（２，２ｅ）、交点（８、２ｅ）、交点５（８，１）となる。そして、交点５（８、１）を次の基本図形の始点として、同様に基本図形を描くことを繰り返し、最終点である交点６（８，１）まで描くと原図の上側部分が描ける。次に、上側とは逆向きに下側を描く。図形上のバランスをとるために、上側の座標表示では交点４（０，１）の右二つ目の交点７（２，１）を下側に描く基本図形の始点（０，１）と定めて、下側の最初の基本図形を描くために選択する交点を順次列挙すると、交点７（０，１）、交点（２，３ａ）、交点（２，３ｂ）、交点（４，３ｂ）、交点８（４，１）となる。そして、交点８（４，１）を次の基本図形の始点として、同様に基本図形を描くことを繰り返し、交点９（４，１）まで描くと原図の下側部分が描ける。その上で、上側および下側の始点である交点４と交点７を結び、それぞれの最終点である交点６と交点９を結ぶと実施例２の原形である閉図形が描ける。
【００１４】
実施例２はこのようにして描いた原形を、厚さ０．５ｍｍのポリプロピレンシートに転写し、ナイフなどで切り抜いて作製した。この実施例２は、アップリケやキルティングなどの型の小さい型紙をもとに、５．０ｍｍ幅にある縫代を布地に描くときに便利であり、ステッチを揃えてきれいに仕上げるために、布地に縫い目印を一定の間隔に印付けることもできる。
【実施例３】
【００１５】
実施例３は、型の大きい縫製線をもとにして他の実施例より大きく印を付けて倣い図形を描くものである。実施例３の形状を示す図は、その原形の描き方を説明するための図である図４に示されているので省略した。実施例３は、図４に示すように、半径２５０．０ｍｍの基礎円１と、基礎円１と同心の円を階円とし、半径２５５．０ｍｍの階円２ａ、半径２６０．０ｍｍの階円２ｂ、そして、半径２７０．０ｍｍの階円２ｃから半径３００．０ｍｍの階円２ｆまで１０．０ｍｍ間隔で大きくなっている階円群と、半径２４５．０ｍｍの階円３ａ、半径２４０．０ｍｍの階円３ｂ、そして、半径２３０．０ｍｍの階円３ｃ、半径２２０．０ｍｍの階円３ｄ、および、半径２００．０ｍｍの階円３ｅの階円群と、中心角０．６２５度をもつ中心線群との各交点を求めて、その交点のうち選択した交点を結ぶ線分を繋いで描いた基本図形を接続連鎖させた原図をもとにした。
【００１６】
図４の説明をわかりやすくするために、以下、選択する交点を中心線と円の座標で表すことにする。基礎円１上のある交点を最初の基本図形を描くための始点として選びその座標を（０，１）と表し、そして、始点から右方向に１つ目の交点を通る中心線と階円２ａとの交点の座標を（１、２ａ）と表し、始点から左方向に２つ目の交点を通る中心線と階円３ｃとの交点の座標を（−２，３ｃ）と表す。この表記方法に従って実施例３の原図を描く手順を説明する。まず、原図の上側を描く。上側の基本図形を描くために選択する交点を順次列挙すると、始点（０，１）、交点（２，２ｂ）、交点（−１，２ｂ）、交点（−１，２ｃ）、交点（２，２ｃ）、交点（２，２ｄ）、交点（−１，２ｄ）、交点（−１，２ｅ）、交点（２，２ｅ）、交点（−１，２ｆ）、交点（９，２ｆ）、交点（６，２ｅ）、交点（９，２ｅ）、交点（９，２ｄ）、交点（６，２ｄ）、交点（６，２ｃ）、交点（９，２ｃ）、交点（９，２ｂ）、交点（６，２ｂ）、交点（８，１）、交点（９，２ａ）、交点（１１，２ａ）、交点５（１２，１）となる。そして、交点５（１２、１）を次の基本図形の始点として、同様に基本図形を７回繰り返し描くと原図の上側部分が描ける。次に、上側とは逆向きに下側を描く。図形上のバランスをとるために、上側の座標表示では交点（−２，１）を下側に描く基本図形の始点と定めて、下側の基本図形を描くために必要な交点を順次列挙すると、始点（０，１）、交点（３，３ｂ）、交点（１，３ｂ）、交点（１，３ｃ）、交点（４，３ｃ）、交点（４，３ｄ）、交点（１，３ｄ）、交点（１，３ｅ）、交点（１１，３ｅ）、交点（１１，３ｄ）、交点（８，３ｄ）、交点（８，３ｃ）、交点（１１，３ｃ）、交点（１１，３ｂ）、交点（９，３ｂ）、交点８（１２，１）となる。そして、交点８（１２、１）を次の基本図形の始点として、同様に基本図形を７回繰り返し描くと原図の下側部分が描ける。その上で、左右端の上側にある交点（４、２ｆ）と下側にある交点（６、３ｅ）を結んで両端を切り取り、両端の基本図形を変形した閉図形とし、実施例３の原形の図形とした。なお、図４において、黒く塗った部分１０は、柔軟性が増し扱い易くなるように切除した部分であり、実施例３の原形の作成に関連するものではない。
【００１７】
実施例３はこのようにして描いた原形を、厚さ０．３ｍｍのポリプロピレンシートに転写し、ナイフなどで切り抜いて、さらに、切除部分１０を切除して、実施例３を作製した。この実施例３は裁縫などで型の大きい縫製線をもとにして、１０．０ｍｍ間隔の幅で縫代を簡単に描くことができるし、サイズを１０．０ｍｍ間隔の幅で拡大あるいは縮小する縫製線を描くことも容易にできる。さらに、実施例３を使用して、スカートやズボンの裾などの折り代を印付けることや、折り込み代を含めた裁断線を描くこともできる。また、折り代部分と縫いつけ部分に合わせ印を付けて、印を合わせて待針を打つと、折り代部分を縫製部に縫いつけることが容易になり、そして、フレアースカートの裾などの始末を行なうときには、印を合わせて待針をうった時に生じる折り代部分の緩みをタックすれば、きれいな仕上げで縫製することもできる。
【００１８】
以上、本発明に関して、実施例や使用例を挙げて具体的に説明したが、それぞれの形状、作製する材質、厚み、大きさなどなどはこれに限定するものではない。また、本発明の用途もこれに限定されるものではない。
【図面の簡単な説明】
【００１９】
【図１】本発明の第１実施例の形状を示す図
【図２】第１実施例の形状を説明するための図
【図３】第２実施例の形状を説明するための図
【図４】第３実施例の形状を説明するための図
【符号の説明】
【００２０】
１  基礎円
２  基礎円と同心で、ａからアルファベット順に半径が大きくなっている階円
２ａ  基礎円より半径が大きい階円
２ｂ  半径が２ａより大きい階円
２ｃ  半径が２ｂより大きい階円
２ｄ  半径が２ｃより大きい階円
２ｅ  半径が２ｄより大きい階円
２ｆ  半径が２ｅより大きい階円
３  基礎円と同心で、ａからアルファベット順に半径が小さくなっている階円
３ａ  基礎円より半径が小さい階円
３ｂ  半径が３ａより小さい階円
３ｃ  半径が３ｂより小さい階円
３ｄ  半径が３ｃより小さい階円
３ｅ  半径が３ｄより小さい階円
４  交点（上側部分に描く基本図形の最初の始点）
５  交点（上側部分に描く基本図形の終点であり、次の基本図形の始点となる交点）
６  交点（上側部分に基本図形を接続連鎖した図形の終点）
７  交点（下側部分に描く基本図形の最初の始点）
８  交点（下側部分に描く基本図形の終点であり、次の基本図形の始点となる交点）
９  交点（下側部分に基本図形を接続連鎖した図形の終点）
１０  切除する部分
【要約】
【課題】裁縫や手芸などの型紙にある縫製線をもとに、従来技術より手間をかけず簡単に、裁断線を描くことや、縫製線をサイズの変更幅に合わせて拡大あるいは縮小することができる補助具の開発を課題とした。
【解決手段】同心円群と、一定の中心角度をもち連続する中心線群との各交点を求めて、その交点のうち選択した交点を結ぶ線分および円弧を繋いで描いた原形を、合成樹脂シートに転写して、その形を切り抜いて作製するを特徴とする。
【選択図】図１【図１】
0004114817.tif 000002
【図２】
0004114817.tif 000003
【図３】
0004114817.tif 000004
【図４】
0004114817.tif 000005